(57)【要約】      （修正有）【課題】リフォーム工事期間中における養生シートの張付け期間を短くし、入居者の不快感を軽減するリフォーム工事装置を提供する。【解決手段】同階層に各々独立した複数居住空間を有する複数階層型共同建屋本体と、この複数階層型共同建屋本体の外壁塗装、タイル張り補修等の外装リフォーム工事に際し仮設される仮設足場と、共同建屋本体の各同階層を縦軸中心として左右に複数縦割区分された同階層の上下複数居住空間ブロック群と、更に上下複数居住空間ブロック群毎の区分巾に適合する様形成されると共に、足場に張付け、除去される左右の養生シートとで構成する。左右の養生シートは、何れか一方を張付け状態とし、且つ他方を未張付け状態として、張付け側のリフォーム工事の完了に伴って除去すると共に、他方を張付ける。【選択図】図１
0003174278.tif 000002
【実用新案登録請求の範囲】
【請求項１】
同階層に各々独立した複数居住空間を有する複数階層型共同建屋本体と、この複数階層型共同建屋本体の外壁塗装、タイル張り補修等の外装リフォーム工事に際し仮設される仮設足場と、該共同建屋本体の各同階層を縦軸中心として左右に複数縦割区分された同階層の上下複数居住空間ブロック群と、更に該上下複数居住空間ブロック群毎の区分巾に適合する様形成されると共に、前記仮設足場に張付け、除去される左右の養生シートとで構成し、而も該左右の養生シートは、何れか一方を張付け状態とし、且つ他方を未張付け状態として、張付け側のリフォーム工事の完了に伴って除去すると共に、他方を張付ける様にしたことを特徴とした複数階層型共同建屋のリフォーム工事装置。
【請求項２】
前記複数階層型共同建屋本体は、中央に共同エントランス部を構成し、この中央共同エントランス部を縦軸中心として複数縦割区分された同階層の上下複数居住空間を左右ブロック群としたことを特徴とした請求項１記載の複数階層型共同建屋のリフォーム工事装置。
【考案の詳細な説明】
【技術分野】
【０００１】  本考案は複数階層型共同建屋における建屋本体の外壁塗装、タイル張り補修等の外装リフォーム工事装置に関する。
【背景技術】
【０００２】  一般的にこの種リフォーム工事を含め建屋建設工事は、下記文献１の如く、建屋の階層毎に作業用の踏板を並べて、仮設足場を組立て、建屋全体を養生シートにて囲繞している。
ところで、リフォーム工事においては、既に建屋内にて日常生活を営んでいる入居者への配慮が必要であり、更には粉塵等の問題から開所である窓ガラスはリフォーム工事完了までの期間、常に閉じた状態となっている。
特に工事期間中は、養生シートにて視界が閉ざされ、不快感が伴うこととなる。
【特許文献１】  特開２００３−３４３０８９号
【考案の概要】
【考案が解決しようとする課題】
【０００３】  リフォーム工事期間中における養生シートの張付け期間を可及的短期間として入居者への不快感を軽減すること。
【課題を解決するための手段】
【０００４】  本考案は、同階層に各々独立した複数居住空間を有する複数階層型共同建屋本体と、この複数階層型共同建屋本体の外壁塗装、タイル張り補修等の外装リフォーム工事に際し仮設される仮設足場と、該共同建屋本体の各同階層を縦軸中心として左右に複数縦割区分された同階層の上下複数居住空間ブロック群と、更に該上下複数居住空間ブロック群毎の区分巾に適合する様形成されると共に、前記仮設足場に張付け、除去される左右の養生シートとで構成し、而も該左右の養生シートは、何れか一方を張付け状態とし、且つ他方を未張付け状態として、張付け側のリフォーム工事の完了に伴って除去すると共に、他方を張付ける様にしたことを特徴とするものである。【０００５】  更に本考案は、複数階層型の共同建屋本体を、中央に共同エントランス部を構成し、この中央共同エントランス部を縦軸中心として複数縦割区分された同階層の上下複数居住空間を左右ブロック群としたことを特徴としたものである。
【考案の効果】
【０００６】（１）請求項１により、先ず左右複数居住空間ブロック群の何れか一方に同一巾の養生シートを張り付けて、この張り付けた居住空間ブロックのリフォーム工事を行うと共に、完了させた後、養生シートを除去し、続いて同様に他方の居住空間ブロックに養生シートを張り付けてリフォーム工事を行い、工事完了に伴い養生シートを除去することから、少なくとも共同建屋本体全体の工事完了まで、該共同建屋本体全体が養生シートにて覆われている状態を回避でき、もってリフォーム工事期間中における養生シートの張付け期間が可及的短期間となって、入居者への不快感を軽減することができる。【０００７】（２）請求項２により、建屋本体の中央共同エントランス部を中心として複数居住空間を左右ブロック群に区分けしたので、このエントランス部を左右養生シートのオーバラップ域とすることによって、養生シート巾が短いことによる間隙部分からの塗料飛散、更には乾燥中における飛散異物の付着等を防ぎ、且つエントランス部であることから、居住者の開所に影響を与えることもない。
【図面の簡単な説明】
【０００８】
【図１】複数階層型共同建屋を示す斜視図
【図２】同上のリフォーム工事装置の概略正面図
【図２】同上の概略側面図
【考案を実施するための形態】
【０００９】  以下本考案を実施形態の図面に基づいて説明すると、図１はリフォーム工事前の複数階層型共同建屋を示す斜視図であって、共同建屋本体１は、複数階層１Ａとなっており、同階層１Ａには各々独立した居住空間２を複数戸構成し、且つ夫々窓ガラスでもある開所３を任意箇所にベランダ４と共に装備している。
また、共同建屋本体１の中央には共同の出入口となるエントランス部５が位置し、各階層１Ａ及び各々の居住空間２への階段、通路等をレイアウトしている。
【００１０】  而して、中央のエントランス部５を縦軸中心線Ｘ−Ｘとして共同建屋本体１を左右に複数縦割区分して同階層１Ａの上下複数居住空間ブロック群Ｙ１、Ｙ２を成している。勿論、実施例においては、エントランス部５を中央に位置させ、縦軸中心線Ｘ−Ｘにて左右に上下複数居住空間ブロック群Ｙ１、Ｙ２を区分しているが、これは、実施例を説明する上での仮定であって、エントランス部５を共同建屋本体１の一方側に位置させれば、当然上下複数居住空間ブロック群Ｙ１、Ｙ２は隣接することとなる。
【００１１】  当然、上下複数居住空間ブロック群Ｙ１、Ｙ２の群数を限定するものでもなく、適宜の群数とするものである。
図２、図３は、共同建屋本体１の外壁塗装、タイル張り補修等の外装リフォーム工事に際し、共同建屋本体１の外周全体に縦横フレーム６、７、更に踏板８より構成された仮設足場Ｆを組立てた状態を示している。
【００１２】  具体的には、縦フレーム６を適宜間隔にて立てかけ、更に一定間隔にて横フレーム７を複数段橋架して組合せ、且つその横フレーム７に作業者の作業高さに応じて一定間隔にて踏板８を多数載置させている。
更に、この足場Ｆには、上下複数居住空間ブロック群Ｙ１、Ｙ２の群巾Ｙ１−１、Ｙ２−１に適合する区分巾Ｚ１、Ｚ２の養生シート９が夫々張付ける。
【００１３】  而して、この養生シート９は、エントランス部５の部分にて互いにオーバラップ域Ｔとする区分巾Ｚ１、Ｚ２となっていて、養生シート９の区分巾Ｚ１、Ｚ２巾が短いことによる間隙部からの塗料飛散、更には乾燥中における飛散異物の付着等を防ぐことを意図し、且つエントランス部５であることから、上下複数居住空間ブロック群Ｙ１、Ｙ２から食みだしても居住者の開所に影響を及ぼすものではない。
【工事順序】
【００１４】  次に本考案に係る  複数階層型共同建屋のリフォーム工事順序を説明すると、図１のリフォーム工事前の複数階層型共同建屋において、図２に示す如く、先ず共同建屋本体１の外周全体に縦横フレーム６、７、更に踏板８より構成された仮設足場Ｆを組立て構築する。
【００１５】  続いて、同図に示す如く、区分された上下複数居住空間ブロック群Ｙ１、Ｙ２の任意の一方Ｙ１に養生シート９を張付ける。
この状態は上下複数居住空間ブロック群Ｙ１、Ｙ２の他方Ｙ２は、未だ養生シート９は張付けておらず、該養生シート９にて視界が閉塞されることはない。
而して、この養生シート９が張付けられた上下複数居住空間ブロック群Ｙ１に対し、所定の外壁塗装、タイル張り補修等の外装リフォーム工事を行うと共に、一定養生時間を経て、養生シート９を除去した後、他の上下複数居住空間ブロック群Ｙ２に対し、上記作業と同様に養生シート９の張付け、所定の外壁塗装、タイル張り補修等の外装リフォーム工事を行い、一定養生時間を経て、養生シート９を除去し、順次リフォーム工事を進め、完了させる。
【００１６】  尚、養生シート９の区分巾Ｚ１、Ｚ２は、オーバラップしていることから、塗料飛散、更には乾燥中における飛散異物の付着等を防止できる。
特に、オーバラップ域Ｔはエントランス部５に設定しているので、上下複数居住空間ブロック群Ｙ１、Ｙ２から食みだしても居住者の開所に影響を及ぼすこともなく、外装リフォーム工事が整然と行える。
【産業上の利用可能性】
【００１７】  本考案は複数階層型共同建屋における建屋本体の外壁塗装、タイル張り補修等の外装リフォーム工事装置に関するものであるが、外装リフォーム工事方法として把握することもできる。
【符号の説明】
【００１８】１    共同建屋本体
２    居住空間
３    開所
４    ベランダ
５    エントランス部
６    縦フレーム
７    横フレーム
８    踏板
９    養生シート
Ｆ    仮設足場
１Ａ  複数階層
Ｘ−Ｘ  縦軸中心線
Ｙ１、Ｙ２  上下複数居住空間ブロック群
Ｚ１、Ｚ２  区分巾
0003174278.tif 000003
【手続補正書】
【提出日】平成23年12月15日(2011.12.15)
【手続補正１】
【補正対象書類名】実用新案登録請求の範囲
【補正対象項目名】全文
【補正方法】変更
【補正の内容】
【実用新案登録請求の範囲】
【請求項１】
同階層に各々独立した複数居住空間を有する複数階層型共同建屋本体と、この複数階層型共同建屋本体の外壁塗装、タイル張り補修等の外装リフォーム工事に際し仮設される仮設足場と、該共同建屋本体の各同階層を縦軸中心として左右に複数縦割区分された同階層の上下複数居住空間ブロック群と、更に該上下複数居住空間ブロック群毎の区分巾に適合する様形成されると共に、前記仮設足場に張付け、除去される左右の養生シートとで成したことを特徴とした複数階層型共同建屋のリフォーム工事装置。
【請求項２】
前記複数階層型共同建屋本体は、中央に共同エントランス部を構成し、この中央共同エントランス部を縦軸中心として複数縦割区分された同階層の上下複数居住空間を左右ブロック群としたことを特徴とした請求項１記載の複数階層型共同建屋のリフォーム工事装置。
【手続補正２】
【補正対象書類名】明細書
【補正対象項目名】０００８
【補正方法】変更
【補正の内容】
【０００８】
【図１】複数階層型共同建屋を示す斜視図
【図２】同上のリフォーム工事装置の概略正面図
【図３】同上の概略側面図
【手続補正３】
【補正対象書類名】図面
【補正対象項目名】全図
【補正方法】変更
【補正の内容】
【図１】
0003174278.tif 000004
【図２】
0003174278.tif 000005
【図３】
0003174278.tif 000006